(57)【要約】【課題】複数の記録媒体に格納された同一のコンテンツを一元管理し、外部機器へのコンテンツの提供を効率良く行うことができる技術の実現。【解決手段】外部機器と通信可能に接続される通信手段と、前記複数の記録媒体に対してデータの読み出し及び書き込みを行う記録再生手段と、前記複数の記録媒体に格納されたコンテンツについて、格納先情報を付加したコンテンツリストを作成するリスト作成手段と、を有し、前記リスト作成手段は、前記複数の記録媒体に格納されたコンテンツに同一のコンテンツがあるか判定し、前記同一のコンテンツを検出した場合、当該同一のコンテンツの各格納先情報を統合したことを表す情報を前記コンテンツリストに付加する。【選択図】図２
2008104119.tif 000002
【特許請求の範囲】
【請求項１】
外部機器と通信可能に接続される通信手段と、
複数の記録媒体に対してデータの読み出し及び書き込みを行う記録再生手段と、
前記複数の記録媒体に格納されたコンテンツについて、格納先情報を付加したコンテンツリストを作成するリスト作成手段と、を有し、
前記リスト作成手段は、前記複数の記録媒体に格納されたコンテンツに同一のコンテンツがあるか判定し、前記同一のコンテンツを検出した場合、当該同一のコンテンツの各格納先情報を統合したことを表す情報を前記コンテンツリストに付加することを特徴とする撮像装置。
【請求項２】
前記コンテンツリストは、コンテンツ名、コンテンツ生成日時、データサイズ、格納先の記録媒体、ファイル属性、及び識別情報を含み、
前記撮像装置は、前記外部機器からコンテンツリストの送信要求を受信した場合、当該コンテンツリストを送信し、
前記撮像装置からコンテンツリストを受信した前記外部機器は、当該コンテンツリストから選択したコンテンツの送信要求を前記撮像装置に対して送信し、
前記外部機器から前記コンテンツの送信要求を受信した前記撮像装置は、前記外部機器に対して要求されたコンテンツを送信することを特徴とする請求項１に記載の撮像装置。
【請求項３】
前記リスト作成手段は、記録媒体毎のコンテンツ数及びアクセス速度に基づいて同一のコンテンツを統合する際の基準となる記録媒体を決定することを特徴とする請求項１又は２に記載の撮像装置。
【請求項４】
前記リスト作成手段は、前記コンテンツ数が最も多い記録媒体を前記基準の記録媒体として決定することを特徴とする請求項３に記載の撮像装置。
【請求項５】
前記リスト作成手段は、前記外部機器からのコンテンツ送信要求に対して、前記基準の記録媒体からコンテンツを読み出して送信することを特徴とする請求項２乃至４のいずれか１項に記載の撮像装置。
【請求項６】
前記リスト作成手段は、コンテンツリストに含まれるコンテンツの格納先情報と、統合後の情報との関係を示す変換テーブルを生成することを特徴とする請求項１乃至５のいずれか１項に記載の撮像装置。
【請求項７】
前記外部機器は、前記コンテンツリストからコンテンツに関するコンテンツ名及び識別情報の少なくともいずれかを指定して前記撮像装置からコンテンツを取得することを特徴とする請求項６に記載の撮像装置。
【請求項８】
前記リスト生成手段は、前記撮像装置の起動時且つ前記撮像装置で取り扱い可能なコンテンツが存在する場合に前記コンテンツリストを生成することを特徴とする請求項１乃至７のいずれか１項に記載の撮像装置。
【請求項９】
前記リスト生成手段は、前記記録媒体へのコンテンツ記録時且つ前記撮像装置で取り扱い可能なコンテンツが存在する場合に前記コンテンツリストを生成することを特徴とする請求項１乃至７のいずれか１項に記載の撮像装置。
【請求項１０】
前記リスト生成手段は、前記外部機器との接続時且つ前記撮像装置で取り扱い可能なコンテンツが存在する場合に前記コンテンツリストを生成することを特徴とする請求項１乃至７のいずれか１項に記載の撮像装置。
【請求項１１】
前記複数の記録媒体は、前記撮像装置に対して着脱又は接続可能であることを特徴とする請求項１乃至１０のいずれか１項に記載の撮像装置。
【請求項１２】
外部機器との通信が可能な通信手段と、複数の記録媒体に対してデータの読み出し及び書き込みを行う記録制御手段と、前記複数の記録媒体に格納されたコンテンツについて、格納先情報を付加したコンテンツリストを作成するリスト作成手段と、を有する撮像装置におけるコンテンツ管理方法であって、
前記複数の記録媒体に格納されたコンテンツに同一のコンテンツがあるか判定するステップと、
前記同一のコンテンツを検出した場合、当該同一のコンテンツの各格納先情報を統合したことを表す情報を前記コンテンツリストに付加するステップと、を有することを特徴とする方法。
【請求項１３】
請求項１２に記載のコンテンツ管理方法をコンピュータに実行させるためのプログラム。
【請求項１４】
請求項１３に記載のプログラムを記憶したことを特徴とするコンピュータが読み取り可能な記憶媒体。
【発明の詳細な説明】
【技術分野】
【０００１】
本発明は、デジタルカメラ等の撮像装置に格納されたコンテンツの管理技術に関するものである。
【背景技術】
【０００２】
デジタルスチルカメラやデジタルビデオカメラ等の撮像装置において、撮像素子の高画素化により記録可能なデータサイズが飛躍的に増加しているため、撮像装置で使用できる記録媒体も大容量化している。また、複数の記録媒体を使用した大容量化も進んでおり、撮像装置内部のスロットを使用する記録媒体だけではなく、デジタルインターフェースによって接続された大容量の外部記録装置を使用した方法も一般化しつつある。
【０００３】
最近の撮像装置は、メモリカードやディスク、テープ等の内部記録媒体と同時に、例えばユニバーサルシリアルバス（ＵＳＢ）やＩＥＥＥ１３９４等の高速シリアルインターフェースによりハードディスク（ＨＤＤ）等の外部記録装置を接続して利用できる。
【０００４】
図１は、ランダムアクセスメディア１０２を記録媒体として使用するデジタルカメラ１０１と外部記録装置１０４とがＵＳＢインターフェースケーブル１０３を介して接続された構成を示している。当然ながら、双方にはＵＳＢインターフェースが搭載されている。
【０００５】
デジタルカメラ１０１はＵＳＢホストとして動作し、大容量の外部記録装置１０４はＵＳＢデバイス（スレーブ）として動作する。
ＵＳＢホストが、ＵＳＢインターフェースを介してＵＳＢデバイスからデータを取得する場合には、例えば、ＰＴＰやマスストレージ等の規格に従って通信を行うのが一般的である。なお、ＰＴＰは“Universal Serial Bus Still Image Capture Device Definition Revision 1.0 July 11,2000”で規定された規格である。また、マスストレージは“Universal Serial Bus Mass Storage Class Bulk-Only Transport Revision 1.0 September 31,1999”で規定された規格である。
【０００６】
図１を参照して、マスストレージに準拠した通信を行う場合について説明する。
【０００７】
デジタルカメラ１０１は、ＵＳＢインターフェースケーブル１０３を介して、外部記録装置１０４の接続を検出すると、外部記録装置１０４からディスクリプタ情報を取得する。そして、デバイス情報の判別、通信方法の判別を行い、外部記録装置１０４をマスストレージクラスのデバイスとして認識する。その後、マスストレージに従って、データを取得することになるが、この際にデジタルカメラ１０１内のファイルシステムを介して外部記録装置１０４に存在する全ての画像データにアクセスすることになる。
【０００８】
デジタルカメラ１０１は、ランダムアクセスメディア１０２も記録媒体として搭載しており、画像データはデジタルカメラ１０１のファイルシステムを介して表示及び閲覧が可能である。ユーザは、デジタルカメラ１０１を操作して、撮影した画像データの保存や閲覧を行う記録媒体を指定でき、同時に複数の記録媒体に同じ画像を記録することもできる。ユーザはランダムアクセスメディア１０２と外部記録装置１０４とを個別に指定することによって、保存された画像データを自由に操作することができる。
【０００９】
デジタル機器はネットワークを介してデータのバックアップや各機器の制御を行うことが一般的となっており、デジタルスチルカメラやデジタルビデオカメラといったコンシューマー機器もネットワークに接続され、外部機器と通信を行うことが可能である。特にインターネットプロトコル（以下、ＩＰ）を利用したＩＰネットワークを構築することにより、多くの機器が相互に接続され、データの送受信が可能である。例えば、チューナーに接続されたホームサーバーのような１つの外部記録装置に格納された動画像データを、各外部機器に応じた表示可能な形式に変換することでパーソナルコンピュータ（以下、ＰＣ）等から閲覧できるものもある（例えば、特許文献１）。
【００１０】
ホームサーバーと同様に、デジタルスチルカメラに格納された画像データも、外部機器からネットワークを介して閲覧可能である。また、USBやIEEE1394のようなシリアルバスによるネットワークだけでなく、Ethernet（登録商標）やWireless LANのようなIP接続が可能なインターフェースをサポートするなどの拡張が行われている。ホームサーバーで実現されている方法と同じように、外部機器で取得要求された画像を統一フォーマットによって提供することで、外部機器における画像の表示も可能となる。
【特許文献１】特開２００５−０６５００８号公報
【発明の開示】
【発明が解決しようとする課題】
【００１１】
しかしながら、上記指定された画像だけでなく、複数の記録媒体に格納された複数の画像の取得要求を行った場合に、複数の記録媒体に同一の画像が存在すると、外部機器は同一の画像を含めた全ての画像を取得することになる。また、外部機器では複数の記録媒体に同時に記録した同じ画像が表示等されることになる。そのため、ユーザが外部機器のディスプレイ上に表示された画像を視認したときに、画像の異同を判別できず、混乱を招くことになる。特に、外部機器が画像ファイル名や属性等を意識させない表示方式を用いた場合、同じ画像を複数枚取得することにもなり、データの取得及び表示に時間を要してしまう。
【００１２】
本発明は、上記課題に鑑みなされた、その目的は、複数の記録媒体に格納された同一のコンテンツを一元管理することで、外部機器へのコンテンツの提供を効率良く行うことができる技術を実現することである。
【課題を解決するための手段】
【００１３】
上記課題を解決し、目的を達成するため、本発明の撮像装置は、外部機器と通信可能に接続される通信手段と、複数の記録媒体に対してデータの読み出し及び書き込みを行う記録再生手段と、前記複数の記録媒体に格納されたコンテンツについて、格納先情報を付加したコンテンツリストを作成するリスト作成手段と、を有し、前記リスト作成手段は、前記複数の記録媒体に格納されたコンテンツに同一のコンテンツがあるか判定し、前記同一のコンテンツを検出した場合、当該同一のコンテンツの各格納先情報を統合したことを表す情報を前記コンテンツリストに付加する。
【００１４】
また、本発明は、外部機器との通信が可能な通信手段と、複数の記録媒体に対してデータの読み出し及び書き込みを行う記録制御手段と、前記複数の記録媒体に格納されたコンテンツについて、格納先情報を付加したコンテンツリストを作成するリスト作成手段と、を有する撮像装置におけるコンテンツ管理方法であって、前記複数の記録媒体に格納されたコンテンツに同一のコンテンツがあるか判定するステップと、前記同一のコンテンツを検出した場合、当該同一のコンテンツの各格納先情報を統合したことを表す情報を前記コンテンツリストに付加するステップと、を有する。
【発明の効果】
【００１５】
本発明によれば、複数の記録媒体に格納された同一のコンテンツを一元管理することで、外部機器へのコンテンツの提供を効率良く行うことができる。
【発明を実施するための最良の形態】
【００１６】
以下に、添付図面を参照して本発明を実施するための最良の形態について詳細に説明する。
【００１７】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１８】
［システム構成］
図２は本発明に係る実施形態のコンテンツ管理システムを示す図である。
【００１９】
図２において、２０１は撮像装置としてのデジタルカメラであり、内部記録媒体としてＣＦ（コンパクトフラッシュ（登録商標）メモリカード２０２やＳＤ（登録商標）メモリカード２０３が着脱可能である。また、外部記録媒体としてＵＳＢインターフェースケーブルによりハードディスク２０４が接続可能である。
【００２０】
デジタルカメラ２０１は、Ｅｔｈｅｒｎｅｔケーブルによりハブ２０５に接続され、ＰＣ２０６とＩＰネットワークを構成し、データ送受信、機器制御等をＩＰネットワーク上におけるコマンドプロトコルに従うことで実現する。ＩＰネットワーク上におけるコマンドプロトコルとしては、ＵＰｎＰ（登録商標）やＤＬＮＡ（Digital Living Network Alliance）で定義された制御コマンド体系を利用することが可能である。
【００２１】
本実施形態では、ＰＣ２０６からのコマンド要求に従い、デジタルカメラ２０１が応答を行うサーバークライアント型のコマンド体系を前提としているが、本発明はコマンド体系に依存するものではない。例えばデータ及びコマンドが送受信可能なプロトコルであれば他の通信方式であっても実現可能である。
【００２２】
図３にデジタルカメラ２０１の内部構成を示すブロック図である。
【００２３】
図３において、メイン制御部３０１は、デジタルカメラによる通信処理、撮影処理、表示処理、記録処理、及び再生処理を統括して制御する。撮像部３０２は主にトリガボタンが押下されてから画像を生成しデジタルデータとして扱うことのできる部分までを担い、記録再生部３０５によって接続及び挿入された記録媒体に対して記録と再生の指示を行う。記録媒体としてはＣＦメモリカード３１０、ＳＤメモリカード３１１、ハードディスク３１２が接続可能である。
【００２４】
表示制御部３０４では撮影画像の表示やユーザに対して操作メニューや警告などの表示を行う。
【００２５】
通信制御部３０６は外部機器と通信する際のプロトコル制御やデータ送受信を行う。コンテンツ管理部３０３は、記録再生部３０５によって読み出された各記録媒体のコンテンツからコンテンツリストを生成し、一時記憶媒体３１５に一時的に記録する。そして、外部アプリケーションからのコンテンツリスト送信要求やコンテンツ再生要求に対して応答データの送信を行う。
【００２６】
デジタルカメラ２０１は、複数の記録媒体に対して同時に撮影した画像等のコンテンツを記録することができ、各記録媒体は互に関与しておらず、デジタルカメラ２０１によってのみ記録媒体のコンテンツを把握することができる。
【００２７】
次に、デジタルカメラ２０１によるコンテンツリスト生成処理について説明する。
【００２８】
図４は、デジタルカメラ２０１によるコンテンツリスト生成処理を示すフローチャートである。
なお、本実施形態では、コンテンツリストの生成タイミングをカメラ起動時とするが、カメラ起動時のほか、外部機器の接続時、記録媒体の接続時、コンテンツ生成時等の記録媒体や外部との接続に変化が生じた場合でも良い。いずれの場合であっても本発明の目的は達成される。
【００２９】
図４において、カメラ起動時にメイン制御部３０１からの指示に従い各ハードモジュールの初期化を行った後、コンテンツ管理部３０３は一時記憶媒体３１５に記録されているコンテンツリストをクリアする（Ｓ４０１）。
【００３０】
次に、記録再生部３０５は記録媒体３１０〜３１２が装着（接続）されているか判定する（Ｓ４０２）。そして、記録媒体が１つでも存在する場合には、その記録媒体に対してデジタルカメラで取り扱うことの可能なコンテンツが含まれているか判定する（Ｓ４０３）。そして、記録媒体に取り扱い可能なコンテンツが含まれている場合にはコンテンツの検索を行い（Ｓ４０４）、コンテンツリストの作成処理に移行する。
【００３１】
先ず、コンテンツリストを作成する前に、記録媒体毎のコンテンツ数及びアクセス速度を、デジタルカメラのファイルシステムにおける管理ファイルリストから取得する。図５は管理ファイルリストを例示している。
【００３２】
次に、最も多いコンテンツ数の記録媒体をコンテンツリスト生成におけるベース記録媒体とする（Ｓ４０５）。なお、コンテンツ数が同数の場合には、アクセス速度が最も速い記録媒体を優先してベース記録媒体とする。更に、コンテンツ数及びアクセス速度が一致する場合には、記録媒体の空き容量若しくは総容量の大きいものをベース記録媒体とする。図５の管理ファイルリストではコンテンツ数５０１を比較するとＨＤＤが最も多いので、ＨＤＤをベース記録媒体としてコンテンツリストを生成する。ベース記録媒体が決定されると、コンテンツリストに登録するコンテンツをベース記録媒体を基準に検索する。
【００３３】
次に、個々のコンテンツに対して、他の記録媒体に同一のコンテンツが存在するかを、ファイル名やファイルサイズ、ヘッダファイルの情報等を比較することで判定する（Ｓ４０６）。そして、全く同じコンテンツが存在する場合には、同じコンテンツが複数の記録媒体に記録されていることを表すコンテンツ重複マークをコンテンツリストに付加する（Ｓ４０７）。
【００３４】
コンテンツリストに登録されるコンテンツの格納先を表す記録媒体の欄には、アクセス速度の最も速い記録媒体のコンテンツが登録される。図５に示す管理ファイルリストにおいてアクセス速度５０２を比較すると、ＣＦカードが最もアクセス速度が速いため、ＣＦカードをコンテンツの格納先の記録媒体として登録する。
【００３５】
また、同一のコンテンツが他の記録媒体に存在しない場合には、コンテンツリストへの登録が行われ、ベース記録媒体にないコンテンツについてもリストへ追加していく（Ｓ４０８）。
【００３６】
このように、記録媒体毎に同一のコンテンツがかるか判定する処理を繰り返し行うことで、全ての記録媒体に記録されているコンテンツを総ざらいすることが可能となる。そして、最終的に追加するコンテンツがなくなったならば、コンテンツリストを生成する（Ｓ４０９）。
【００３７】
また、Ｓ４０２で記録媒体が装着（接続）されていない場合にはコンテンツリストの生成は行わない。なお、カメラ起動時以外でコンテンツリストを更新する際には、更新された記録媒体やコンテンツに対してのみ比較、リストの更新を行い、その他のコンテンツリストについては検索などの処理は行わない。
【００３８】
図６はコンテンツリストを例示しており、各コンテンツはＩＤ（識別情報）６０１とコンテンツ名６０２とを対応させることで管理されている。ＰＴＰ等のＩＤベースのプロトコルを用いた外部アプリケーションからの取得要求等に対しては、このＩＤをベースとして送受信を行う。記録媒体毎にコンテンツが重複している場合には、コンテンツ重複マーク６０４を付加し、コンテンツの全ての格納先情報がコンテンツパス６０３に記述される。また、外部アプリケーション等からの送信要求を受信し、コンテンツデータを読み出す際の格納先の記録媒体を表すダウンロードパス６０５の欄には、基準の記録媒体として最も速い転送速度のＣＦカードのコンテンツを示すパスが記述される。外部アプリケーションに送信する際には、上記コンテンツリストからコンテンツパス６０３の変換テーブルを除くことで、外部アプリケーションによる表示等に供することができる。
【００３９】
また、上記コンテンツリストはコンテンツ生成日時６０６やファイルサイズ６０７等に基づいてリストをソートすることが可能である。
【００４０】
図７は、ＰＣ２０６がデジタルカメラ２０１に格納されたコンテンツを取得する際のシーケンスを示している。
【００４１】
図７に示すように、デジタルカメラ２０１は、起動時に図４で述べた手順でコンテンツリストを生成し、カメラ内部の一時記憶媒体３１５に記録する（Ｓ７０１）。
【００４２】
次に、ＰＣ２０６がデジタルカメラ２０１と通信接続されると、ＰＣ２０６のアプリケーションがデジタルカメラ２０１に対してコンテンツリスト取得要求を送信する（Ｓ７０２）。
【００４３】
デジタルカメラ２０１は、通信制御部３０６を介してＰＣ２０６からコンテンツリスト取得要求を受信すると、メイン制御部３０１がコマンドを解釈し一時記憶媒体３１５に記録されたコンテンツリストを送信する（Ｓ７０３）。コンテンツリストを受信したＰＣ２０６では、アプリケーションがコンテンツリストを用いてユーザインターフェース（ＵＩ）画面を生成し表示する（Ｓ７０４）。ユーザはＰＣ２０６に表示されたＵＩ画面から所定のコンテンツを選択し（Ｓ７４０）、デジタルカメラ２０１に対してコンテンツ取得要求を送信する（Ｓ７０５）。
【００４４】
デジタルカメラ２０１は通信制御部３０６を介してＰＣ２０６からコンテンツ取得要求を受信すると、メイン制御部３０１がコマンドを解釈し、コンテンツ管理部３０３がコンテンツリストの変換テーブルを用いて該当するコンテンツの格納先を決定する。更に、記録再生部３０５がその格納先の記録媒体からデータを読み出す（Ｓ７０６）。
【００４５】
デジタルカメラ２０１では、ＰＣ２０６へのデータ送信の際に、同一のコンテンツで最も速いアクセス速度の記録媒体から読み出すことになるため（Ｓ７０７）、ＰＣ２０６での表示等を短時間で行うことができる。
【００４６】
また、ＰＣ側で記録媒体を指定して表示を行うようなアプリケーションの場合、コンテンツリストの重複マーク６０４とコンテンツパス６０３を参照すれば、同一のコンテンツを繰り返し取得する必要がなくなる。このため、コンテンツを表示等するための煩雑なデータ送受信操作が不要となり操作性を向上できる。
【００４７】
［他の実施形態］
以上、本発明に係る実施形態について具体例を用いて詳述したが、本発明は、例えば、システム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【００４８】
また、本発明の目的は、図示の機能ブロック及び動作において、いずれの部分をハードウェア回路により実現し、或いはコンピュータを用いたソフトウェア処理によって実現しても達成されることは言うまでもない。
【００４９】
尚、本発明は、前述した実施形態の機能を実現するソフトウェアのプログラムを、システムあるいは装置に直接あるいは遠隔から供給することによって達成される場合も含む。その場合、システム等のコンピュータが該プログラムコードを読み出して実行することになる。
【００５０】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００５１】
その場合、プログラムの機能を有していれば、オブジェクトコード、インタプリタにより実行されるプログラム、OSに供給するスクリプトデータ等の形態であっても良い。
【００５２】
プログラムを供給するための記録媒体（記憶媒体）としては、例えば、フレキシブルディスク、ハードディスク、光ディスク、光磁気ディスク等がある。その他にも、MO、CD-ROM、CD-R、CD-RW、磁気テープ、不揮発性のメモリカード、ROM、DVD(DVD-ROM、DVD-R)等がある。
【００５３】
その他、プログラムの供給方法としては、クライアントコンピュータのブラウザを用いてインターネットのホームページに接続し、該ホームページから本発明のコンピュータプログラムそのものをダウンロードすることもできる。また圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバも、本発明に含まれるものである。
【００５４】
また、本発明のプログラムを暗号化してCD-ROM等の記憶媒体に格納してユーザに配布し、所定の条件をクリアしたユーザが、インターネットを介してホームページから暗号化を解く鍵情報をダウンロードすることもできる。この場合、ダウンロードした鍵情報を使用することにより暗号化されたプログラムを実行してコンピュータにインストールさせて実現する。
【００５５】
また、コンピュータが、読み出したプログラムを実行することによって、前述した実施形態の機能が実現される他、そのプログラムの指示に基づき、コンピュータ上で稼動しているOS等が、実際の処理の一部又は全部を行うことによっても実現され得る。
【００５６】
更に、記録媒体から読み出されたプログラムが、コンピュータに挿入された機能拡張ボードやコンピュータに接続された機能拡張ユニットのメモリに書き込まれた後、該ボード等のCPU等が実際の処理の一部又は全部を行うことによっても実現される。
【図面の簡単な説明】
【００５７】
【図１】デジタルカメラと外部記録装置とが接続された構成を示す図である。
【図２】本発明に係る実施形態のコンテンツ管理システムを示す図である。
【図３】本実施形態のデジタルカメラの内部構成を示すブロック図である。
【図４】デジタルカメラによるコンテンツリスト生成処理を示すフローチャートである。
【図５】本実施形態の管理ファイルリストを例示する図である。
【図６】本実施形態のコンテンツリストを例示する図である。
【図７】ＰＣがデジタルカメラに格納されたコンテンツを取得する際のシーケンスを示す図である。
【符号の説明】
【００５８】
２０１  デジタルカメラ
２０２，２０３  メモリカード
２０４  ハードディスク
２０５  ハブ
２０６  ＰＣ
３０１  メイン制御部
３０２  撮像部
３０３  コンテンツ管理部
３０４  表示制御部
３０５  記録再生部
３０６  通信制御部
【図１】
2008104119.tif 000003
【図２】
2008104119.tif 000004
【図３】
2008104119.tif 000005
【図４】
2008104119.tif 000006
【図５】
2008104119.tif 000007
【図６】
2008104119.tif 000008
【図７】
2008104119.tif 000009